(57)【特許請求の範囲】
【請求項１】
洗剤を靴の内側全体に微細水滴状の状態で２乃至７秒間連続でノズルを移動させながら噴射する工程、ブラシで靴の内部全体を拭く工程、スポンヂで細部を洗浄、上記洗剤吸い取る工程、酸性イオンを微細水滴状の状態で靴内部に散布した後、スポンヂで洗浄、乾いた布で水分を拭き取る工程を有することを特徴とする靴の洗浄方法。
【請求項２】
プロテアーゼを混合した洗剤を４０℃乃至５０℃に加熱して使用する請求項１記載の靴の洗浄方法。
【請求項３】
洗浄した靴にオゾンエアーを接触させる請求項１又は２記載の靴の洗浄方法。
【発明の詳細な説明】
【０００１】
【発明の属する技術分野】
この発明は靴の洗浄方法に関し、特に革靴の洗浄に最適な方法に関する。
【０００２】
【従来の技術】
従来、靴の手入れ法としては、革靴に関しては表面の汚れを拭き取って靴クリームやオイル等を塗布することが一般的であり、型くずれを起こしたり革を傷めることよりそれを洗浄することは不可能であるとされていた。
又、布製の靴に関しては洗剤で洗濯することが一般的であった。
【０００３】
【発明が解決しようとする課題】
いうまでもなく、靴は使用するうちに履装者の汗や体臭がその内部に染みつき汚れや悪臭が蓄積されるものであり、本来であれば内部を洗浄することが不可欠である。
しかしながら、上記の理由より革靴は洗浄することが不可能であったので、せいぜい内部を軽く拭き取って、除臭、除菌剤を散布したり、定期的に交換することを前提とした中敷きを使用する程度の手当てしかできなかった。
その結果、外観上は勿論のこと、衛生的にも靴の内部は雑菌の巣窟と化し、靴を履くことによって履装者の足の指の間、前足部に雑菌が繁殖することが助長され、足の悪臭や水虫の原因となっていた。
【０００４】
一方、布製の靴に関してはたわしやスポンジで洗剤を塗布して洗浄することが可能であるが、洗い上がりがごわごわしたり、黄変したりする問題があり、洗濯することによって却って外観が古びてしまう問題があった。
又、布の繊維の奥に染み込んだ悪臭や雑菌はこの洗浄方法では除去し切れなかった。
【０００５】
この発明は以上の従来技術の問題点に鑑みて創作されたものであり、靴を傷めずに汚れは勿論、染みついた悪臭や雑菌迄除去可能にする洗浄方法及びそれに使用する洗剤を提供することを目的とする。
【０００６】
【課題を解決するための手段】
即ち、この発明の洗浄方法は微細水滴化した洗剤を加圧力をもって靴の内部に噴射することを特徴とする。
【０００７】
よって、この発明の洗浄方法によれば洗剤は微細水滴化されて加圧力をもって噴射されることによって、靴の内部の隅々迄達し、内部の表層に付着した汚れや悪臭成分、雑菌はもとより、革に浸透した汚れや悪臭成分、雑菌も除去する作用を生じる。
一方、洗剤は微細水滴化されて加圧力をもって噴射されることにより、極めて短時間に必要最低量の洗剤が靴の内部に万遍なく施されるので、大量の洗剤により靴をいたずらに湿らせたり、作業が長時間化して靴の中芯まで洗剤が達することが防止され、型くずれを招来したり、革を傷めたりすることがない。
【０００８】
次に、この発明の洗剤は植物性の原料からなる洗剤を酸性イオン水で希釈したものに、殺菌性を有するハーブ抽出油を添加したことを特徴とする。
【０００９】
よって、この発明の洗剤を前記の洗浄方法に使用すれば、汚れや悪臭成分（例えば、臭いの元凶の尿と同じ成分のアポクリン性の汗）の洗浄作用と共に、酸性イオン水及びハーブ抽出油による殺菌作用を生じる。
又、洗剤は植物性の原料からなるので、洗浄後の靴が履装者の足の皮膚にアレルギーを起こさせることもない。
【００１０】
【発明の実施の形態】
以上の構成よりなるこの発明の洗浄方法は、靴の内部の洗浄、外部の洗浄、乾燥、除臭の各工程の内、従来技術ではもっとも困難であった靴の内部の洗浄に実施される。
これを言い換えれば、靴をその外部・内部を問わず一律の洗浄法（洗剤を使用して洗濯する）で処理しようとする従来技術の発想そのものを見直して、靴の内部と外部で洗浄法を使い分けることに着想した点にこの発明の洗浄方法の最大の特徴を求めることができることになる。
【００１１】
以下、上記各工程の概要を記す。
▲１▼靴の内部の洗浄は植物性の原料を使用してアレルギー等を起こさない洗剤を開発し、微細水滴状にして圧力をかけて洗浄する。
▲２▼靴の外部の洗浄は攪拌性の強いゲル状の洗剤を開発、ブラシもしくは微細水滴状にして圧力をかけた溶剤で洗浄する。
▲３▼乾燥、除菌、殺菌はオゾンエアーを使い、さらに殺菌効果を上げるために酸性イオン水も使用する。
▲４▼除臭に関しては汗を取ることと、オゾンエアーの脱臭効果を利用しての複合作用を活用する。
【００１２】
【実施例】
（第１実施例）
この実施例は革靴（一般革）の洗浄工程に関する。
(1) 下記の洗剤（Ａ）を１．５気圧のコンプレッサーにより、靴の内側全体に微細水滴状の状態で２乃至７秒間連続でノズルを移動させながら噴射する。
【００１３】
洗剤（Ａ）
パームオイル、ソープ（界面活性剤含む）を主原料にアミノ酸系（陰イオン）溶剤を混合した洗剤１０ミリリットルを、ＰＨ５の酸性イオン水１リットルで希釈し、さらにオレンジ果実を原料とした界面活性剤（２８％）を３ミリリットル、殺菌性を有するハーブ抽出油（ここではカモミルオイルを０．３ミリリットル使用）を添加した洗剤。
【００１４】
この場合、特に前足部は、念入りに洗浄を行い素材や靴の破損状態により圧力を加減する。
又、特に漂白や殺菌が強く求められたり、洗剤の濃度が標準以下を求められる時等にはオゾンを水に溶かしたものを微細水滴状の状態で加圧噴射することを併用してもよい。
(2) 汗等の汚れがひどい場合は上記洗剤（Ａ）に酵素（タンバク質分解酵素）プロテアーゼを混ぜ合わせ４０乃至５０℃に温度を上げ５乃至１０秒間の洗浄を行う。
(3) 塩化ビニリデン製の枝付きブラシで靴の内部全体を拭く（足の当たる部分は特に念入りに行う。）。
(4) ナイロン製枝付きスポンヂで細部を洗浄、上記洗剤（Ａ）を吸い取りスポンヂを水洗する。
(5) ＰＨ２の酸性イオンを微細水滴状の状態で靴内部に散布した後、水洗した枝付きスポンヂで洗浄、乾いた布で水分を拭き取る。
(6) 真空掃除機の吸い込み口を靴の内部にあて、ダニやほこり、ゴミ等、水気を取り去る。
(7) 下記の外洗い洗剤（Ｂ）を毛製ブラシで引きのばし、靴の外部の洗浄を迅速に行う。
【００１５】
外洗い洗剤（Ｂ）
やしの実オイル、グリセリン、やしの実油脂、ラノリン、ロウ１００グラムに対して酸性イオン水６００ミリリットルを混ぜゲル状とする。
【００１６】
(8) スポンジで洗浄しながら溶剤を拭き取り、スポンヂを水洗いし、再びスポンチで軽く洗浄、乾いた布で拭き取る。
(9) 可脂剤を靴の外部に塗布する。
(10)密閉した容器内に靴を入れ、オゾンエアーを１乃至２時間接触させる。
(11)木炭を洗浄、乾燥させたものを靴の内部に収容し２４時間置く。
(12)外表面に仕上げ剤をスプレー散布する。
（注）以上の(9) の可脂剤塗布までの作業は１５分以内とすることにより、靴の型くずれ、傷みを防止する。
【００１７】
（第２実施例）
この実施例は起毛革を使用した革靴の洗浄工程に関する。
(1) 第１実施例と同じ洗剤（Ａ）を１．５気圧のコンプレッサーにより、靴の内側全体に微細水滴状の状態で２乃至７秒間連続でノズルを移動させながら噴射する。
この場合、特に前足部は、念入りに洗浄を行い素材や靴の破損状態により圧力を加減する。
又、特に漂白や殺菌が強く求められたり、洗剤の濃度が標準以下を求められる時等にはオゾンを水に溶かしたものを微細水滴状の状態で加圧噴射することを併用してもよい。
(2) 汗等の汚れがひどい場合は上記洗剤（Ａ）に酵素（タンバク質分解酵素）プロテアーゼを混ぜ合わせ４０乃至５０℃に温度を上げ５乃至１０秒間の洗浄を行う。
(3) 塩化ビニリデン製の枝付きブラシで靴の内部全体を拭く（足の当たる部分は特に念入りに行う。）。
(4) ナイロン製枝付きスポンヂで細部を洗浄、上記洗剤（Ａ）を吸い取りスポンヂを水洗する。
(5) ＰＨ２の酸性イオンを微細水滴状の状態で靴内部に散布した後、水洗した枝付きスポンヂで洗浄、乾いた布で水分を拭き取る。
(6) 真空掃除機の吸い込み口を靴の内部にあて、ダニやほこり、ゴミ等、水気を取り去る。
(7) ＰＨ５程度の弱酸性イオン水を１．５気圧のコンプレッサーにより、靴の外部全体に微細水滴状の状態で噴射する。
染みや汚れが目立つ場合は、毛ブラシと金ブラシの組合わさったものでこすり落とす。
(8) 桑らかい布で水気を拭き取る。
(9) 仕上げローションを微細水滴状の状態で薄く吹き付ける。
(10)密閉した容器内に靴を入れ、オゾンエアーを１乃至２時間接触させる。
(11)靴の外部にエアーを吹き付け毛並みを整えた後、柔軟剤を散布する。
(12)木炭を洗浄、乾燥させたものを靴の内部に収容し２４時間置く。
(13)フッ素系のはっ水剤を靴の外部に散布する。
（注）以上の(9) の仕上げローションまでの作業は１５分以内とすることにより、靴の型くずれ、傷みを防止する。
【００１８】
【発明の効果】
以上の構成よりなるこの発明は次の特有の効果を奏する。
微細水滴化した洗剤を加圧力をもって靴の内部に噴射することにより洗浄を行うので短時間で靴の内部のすみずみまで洗剤が達し、作業時間が短縮化される結果、靴の中芯に洗剤が浸透する前に作業を終了することが可能となり、靴の型くずれや傷みが生ぜず、従来不可能であるとされた革靴の洗浄が、型くずれや革を傷めることなく可能となる。
【００１９】
同様の理由より、靴の内部における各箇所の汚れの強弱に応じて加圧力を臨機応変に調整することにより洗剤の量を調整できるので、必要以上に洗剤を散布して型くずれを起こしたり革を傷めることが防止される。
【００２０】
同様の理由より、靴の内部をブラシ等により強圧力をもってこする必要がないので、靴に表示されたブランド表示の印刷が剥離することがなく、洗浄により靴の付加価値を落とすことが防止される。
【００２１】
単なる汚れ落としの洗浄に止まらず、微細水滴化した洗剤を加圧力をもって靴の内部に噴射することと、洗剤を酸性イオン水で希釈したものに殺菌性を有するハーブ抽出油を添加したことの相乗効果により靴の内部に染みついた悪臭成分、雑菌も除去することができるので、人間の身体の中で一番雑菌が多いとされる靴の中の指の間、前足部を清潔に保ち、水虫の靴からの再感染を防ぎ、気になる足の臭い、靴からの靴下汚れ、靴で培養された細菌の家の中への持ち込みが防止される。
【００２２】
植物性の原料からなる洗剤を使用するので、洗浄後の靴が履装者の足の皮膚にアレルギーを起こさせることなく、洗浄が実現できる。
【００２３】
靴の内部が清潔になることから、足にも関心が向くようになり、足が原因の慢性病の早期発見が期待できる。
【００２４】
従来、たわしやスポンジで洗剤を塗布して洗浄していた布性の靴もこの発明の洗浄方法を実施することにより、洗い上がりがごわごわしたり、黄変したりすることなく洗浄することが可能となり、しかも布の繊維の奥に染み込んだ悪臭や雑菌も除去することができる。